(57)【要約】【課題】冷却ファンによるユニット内の冷却効果を十分に高めることができるとともに、冷却ファンの耐久性を向上させることができ、コンパクトな電力変換装置を提供する。【解決手段】筐体２０の前面開口部を覆う前面板２１，２２に形成された前面側通気口２６と、筐体の背面開口部を覆う背面板２４に形成された背面側通気口２７と、自己発熱が高い制御部品を搭載したユニット３２〜３５内の前面側に配置され、前面側通気口から吸い込んだ冷風を背面側に流して前記背面側通気口から排出させる冷却ファン４３〜４６とを備えている。上下に隣接して収納され、冷却ファン４３，４４をそれぞれ配置した第１ユニット３２及び第２ユニット３３には、冷却ファン４３，４４で発生した冷風が第１ユニット及び前記第２ユニットの外部へ流れるのを防止する冷風漏れ防止部８０を設けている。【選択図】図４
2010148194.tif 000002
【特許請求の範囲】
【請求項１】
筐体内に、電力変換を行う複数のユニットが多段に収納された電力変換装置において、
前記筐体の前面開口部を覆う前面板に形成された前面側通気口と、
前記筐体の背面開口部を覆う背面板に形成された背面側通気口と、
自己発熱が高い制御部品を搭載した所定のユニット内の前面側に配置され、前記前面側通気口から吸い込んだ冷風を背面側に流して前記背面側通気口から排出させる冷却ファンとを備え、
上下に隣接して収納され、前記冷却ファンをそれぞれ配置した第１ユニット及び第２ユニットに、前記冷却ファンで発生した冷風が前記第１ユニット及び前記第２ユニットの外部へ流れるのを防止する冷風漏れ防止部を設けたことを特徴とする電力変換装置。
【請求項２】
前記第１ユニット及び前記第２ユニットは、奥行き方向に異なる位置で前記筐体内に収納されており、前記冷風漏れ防止部は、前記第１ユニット及び前記第２ユニットのユニット前面の間に存在するユニット段差部を覆いながら前記第１ユニット及び前記第２ユニットに跨がって設けられていることを特徴とする請求項１記載の電力変換装置。
【請求項３】
前記冷風漏れ防止部は、前記第１ユニット及び前記第２ユニットに着脱自在に取付けられた遮風板であることを特徴とする請求項２記載の電力変換装置。
【発明の詳細な説明】
【技術分野】
【０００１】
本発明は、筐体内に複数のユニットを上下に多段に収納した電力変換装置に係り、特に、ユニットに冷却ファンを搭載したものに関する。
【背景技術】
【０００２】
プラントの計測設備やコンピュータなどに安定した電源供給を行う電力変換装置として無停電電源装置が知られている。無停電電源装置は、通常、筐体内に複数の制御部品がユニット化された状態で収納されている。
例えば特許文献１，２の装置は、筐体内に、制御部品を機能別に搭載した複数のユニットが上下に多段に収納されている。
【０００３】
また、文献２の装置は、自己発熱が高い制御部品を搭載した所定のユニット内の前面側にユニット側冷却ファンが搭載されている。また、筐体の前面板に、筐体内に通じる通気口が形成され、筐体内の背面側に、上下方向に通風路が設けられ、通風路の上部に連通する筐体の天板に形成した排気口に、天板側冷却ファンが設けられている。
そして、ユニット側冷却ファンが前面板の通気口から吸い込んだ冷風は、ユニット内を背面側に流れていき、通風路を介して天板側冷却ファンから外部に排出されるようになっている。
【特許文献１】特開平６−８６５６７号公報
【特許文献２】特開２００６−１５６４３０号公報
【発明の開示】
【発明が解決しようとする課題】
【０００４】
ところで、上述した特許文献１の装置のように無停電電源装置を構成するユニットの中で、例えば交流電流の高周波成分を抑制するリアクトルユニットは、他のユニットと接続する配線の数が多いので、ユニット側冷却ファンによりユニット内を流れる冷風が、ユニット外部に漏れるのを完全に遮ることができない。したがって、リアクトルユニットのように他のユニットとの配線数が多いユニットは、十分な冷却効果が得られないという問題がある。
【０００５】
また、特許文献１の装置は、筐体の天板に設けた天板側冷却ファンが建屋の天井に近いため、高温の排気にさらされることでファン温度が高くなり、ファン寿命の面で問題がある。さらに、特許文献１の装置は、背面側の空間に通風路を設けた大きな形状の筐体となるので、大型の装置となるおそれがある。
そこで、本発明は上記事情に鑑みてなされたものであり、冷却ファンによるユニット内の冷却効果を十分に高めることができるとともに、冷却ファンの耐久性を向上させることができ、コンパクトな電力変換装置を提供することを目的としている。
【課題を解決するための手段】
【０００６】
本発明に係る電力変換装置は、筐体内に、電力変換を行う複数のユニットが多段に収納された電力変換装置において、前記筐体の前面開口部を覆う前面板に形成された前面側通気口と、前記筐体の背面開口部を覆う背面板に形成された背面側通気口と、自己発熱が高い制御部品を搭載した所定のユニット内の前面側に配置され、前記前面側通気口から吸い込んだ冷風を背面側に流して前記背面側通気口から排出させる冷却ファンとを備え、上下に隣接して収納され、前記冷却ファンをそれぞれ配置した第１ユニット及び第２ユニットに、前記冷却ファンで発生した冷風が前記第１ユニット及び前記第２ユニットの外部へ流れるのを防止する冷風漏れ防止部を設けている。
【０００７】
この発明によると、冷却ファンで発生した冷風が第１ユニット及び第２ユニットの外部へ流れるのを防止する冷風漏れ防止部が設けられているので、冷却ファンが取り込んだ冷風は、前面側からユニット外部に流れ出ず、自己発熱が高い制御部品を冷却する十分な量の冷風が流れていく。したがって、第１ユニット内部及び第２ユニット内部の冷却効果を十分に高めることができる。
【０００８】
また、この発明によると、冷却ファンは、前面側通気口から吸い込んだ冷風を背面側に流して背面側通気口から排出させるようにしているので、従来装置のように筐体の背面側に上下方向に延在する通風路を設けず、筐体の形状を小さくしてコンパクトな電力変換装置とすることができる。
また、この発明によると、従来装置のように冷却ファンが天井等に近い位置に配置されず高温排気の影響を受けないので、冷却ファンの耐久性を向上させることができる。
【０００９】
また、本発明に係る電力変換装置は、前記第１ユニット及び前記第２ユニットが、奥行き方向に異なる位置で前記筐体内に収納されており、前記冷風漏れ防止部は、前記第１ユニット及び前記第２ユニットのユニット前面の間に存在するユニット段差部を覆いながら前記第１ユニット及び前記第２ユニットに跨がって設けられているようにしてもよい。
この発明によると、第１ユニット及び第２ユニットが、奥行き方向が異なる位置で筐体内に収納されていても、冷風の漏れを確実に行なって第１ユニット内部及び第２ユニット内部の冷却効果を十分に高めることができる。
【００１０】
さらに、本発明に係る電力変換装置は、前記冷風漏れ防止部が、前記第１ユニット及び前記第２ユニットに着脱自在に取付けられた遮風板であることが好ましい。
この発明によると、第１ユニット及び第２ユニットの保守・点検作業を行なう際には、遮風板を取り外して容易、且つ迅速に作業を行なうことができる。
【発明の効果】
【００１１】
本発明に係る電力変換装置によると、冷却ファンで発生した冷風が第１ユニット及び第２ユニットから外部へ漏れるのを防止する冷風漏れ防止部が設けられているので、第１ユニット内部及び第２ユニット内部の冷却効果を十分に高めることができる。
また、本発明の冷却ファンは、前面側通気口から吸い込んだ冷風を背面側に流して背面側通気口から排出させるようにしているので、従来装置のように筐体の背面側に上下方向に延在する通風路を設けず、筐体の形状を小さくしてコンパクトな電力変換装置とすることができる。
【００１２】
さらに、本発明は、従来装置のように冷却ファンが天井等に近い位置に配置されず高温排気の影響を受けないので、冷却ファンの耐久性を向上させることができる。
【発明を実施するための最良の形態】
【００１３】
以下、本発明を実施するための最良の形態（以下、実施形態という。）を、図面を参照しながら詳細に説明する。
図１は本発明に係る無停電電源装置を前面側及び背面側から示した斜視図、図２は無停電電源装置の前面カバーを外し、前面扉を開けて筐体内部を示した図、図３は無停電電源装置内の結線図、図４は筐体に複数のユニットが多段に配置されている状態を示す側面から見た模式図、図５は第１リアクトルユニットを示す斜視図、図６は第１リアクトルユニットの平面図、図７は第１リアクトルユニット及び第１電力変換ユニットの間の前面側に遮風板を配置した状態を示す図、図８は第１電力変換ユニットを示す斜視図、図９は第１変換ユニットを正面から示した図、図１０は遮風板の具体的な構造を示す図である。
【００１４】
（無停電電源装置の構成）
図１（ａ）、（ｂ）に示すように、本発明に係る無停電電源装置は、筐体２０の前面開ロ部を前面カバー２１及び開閉扉２２が覆い、筐体２０の側面開ロ部を側面カバー２３が覆い、筐体２０の背面開口部を背面カバー２４が覆い、筐体２０の上部開ロ部を天面カバー２５が覆っている。
【００１５】
前面カバー２１及び開閉扉２２の最下部から上部側の領域には、空気を筐体２０内部に吸い込む吸気スリット２６が形成されている。背面カバー２４にも、筐体２０内部の空気を外部に排出する排気スリット２７が形成されている。また、天面カバー２５にも、筐体２０内部の空気を外部に排出する排気スリット２８が形成されているとともに、主回路線及び信号線等の外線引込スペースが形成されている。
【００１６】
図２に示すように、筐体２０には、内部を左右の空間に仕切る隔壁２９が配置されており、左右の空間に２組の無停電電源部ＵＰＳ１，ＵＰＳ２が収納されている。２組の無停電電源部ＵＰＳ１，ＵＰＳ２は、同一構造のユニットで筐体２０内に収納されているので、一方の無停電電源部ＵＰＳ１のみの説明を行なう。なお、図示しないが、２組の無停電電源部ＵＰＳ１，ＵＰＳ２は、商用電源と接続する入力端子及び負荷と接続する出力端子が並列に接続されている。また、本実施形態では、一例として２組の無停電電源部ＵＰＳ１，ＵＰＳ２を並列に接続する場合を示しているが、２組以上の無停電電源部をＮ組並列接続することも可能である。
【００１７】
無停電電源部ＵＰＳ１は、ターミナルユニット３０、ＭＣ（マグネットコンタクタ）ユニット３１、第１リアクトルユニット３２、第１電力変換ユニット３３、第２リアクトルユニット３４及び第２電力変換ユニット３５からなる複数のユニットが筐体２０内の上下方向に多段に配置されている。
第１リアクトルユニット３２は、図３に示すように、３相分の交流リアクトル３２ａ，及び直流リアクトル３２ｂ，３２ｃを備えた装置であり、商用電源から入力した交流電流の高周波成分を抑制する装置である。
【００１８】
第１電力変換ユニット３３は、ＩＧＢＴ（絶縁ゲート形バイポーラトランジスタ）などのパワー半導体素子、パワー半導体素子冷却体、電解コンデンサ等を備えた装置であり、商用電源から第１リアクトルユニット３２を介して入力した商用電力を交流から直流に変換するコンバータ装置である。
第２電力変換ユニット３５も、ＩＧＢＴ（絶縁ゲート形バイポーラトランジスタ）などのパワー半導体素子、パワー半導体素子冷却体、電解コンデンサ等を備えた装置であり、第１電力変換ユニット３３から入力した直流の電力、或いは本装置に並設された蓄電池３６（図３参照）から入力した直流の電力を交流に変換するインバータ装置である。
【００１９】
第２リアクトルユニット３４は、図３に示すように、複数の３相分の交流リアクトル３４ａ，Ｎ相分の交流リアクトル３４ｂ，３４ｃを備えた装置であり、第２電力変換ユニット３５から出力された交流電流の高周波成分を抑制する装置である。
ＭＣユニット３１は、図３に示すように、複数の電磁接触器３８ａ〜３８ｄ、複数のリアクトル４１ａ〜４１ｃ、主制御部、保護用ヒューズ、制御信号用インターフェース回路等を備えた装置であり、電磁接触器３８ａ〜３８ｄのＯＮ・ＯＦＦ制御により、負荷に安定した交流電力を供給する装置である。
【００２０】
また、ターミナルユニット３０は、交流入力Ａ相、Ｂ相、Ｃ相、直送入力Ａｃ相、Ｂｃ相及びＣｃ相、中性相Ｎの商用電源側端子と、蓄電池３６接続用の＋相端子及び−相端子と、交流出力ａ相端子、ｂ相端子、ｃ相端子と、中性相Ｎ端子を備えている。
【００２１】
図４に示すように、筐体２０の側面カバー２３及び隔壁２９には、前面カバー２１側（或いは開閉扉２２側）及び背面カバー２４側に延在する支持案内レール３７ａ〜３７ｆが設けられている。上部に配置した支持案内レール３７ａ，３７ｂは、ターミナルユニット３０及びＭＣユニット３１を下側から支持している。また、上下方向の中央部及び下部に配置されている支持案内レール３７ｃ〜３７ｆは、第１リアクトルユニット３２、第１電力変換ユニット３３、第２リアクトルユニット３４及び第２電力変換ユニット３５を下側から支持している。そして、各ユニットと筐体２０の枠体（不図示）とを固定するビス等の固定手段（不図示）を取り外すことで、ターミナルユニット３０、ＭＣユニット３１、第１リアクトルユニット３２、第１電力変換ユニット３３、第２リアクトルユニット３４及び第２電力変換ユニット３５は、支持案内レール３７ａ〜３７ｆ上を摺動して前面側に引き出し可能とされている。
【００２２】
また、図４に示すように、第１リアクトルユニット３２、第１電力変換ユニット３３、第２リアクトルユニット３４及び第２電力変換ユニット３５の前面側にはファンユニット４３〜４６が配置されている。これらファンユニット４３〜４６は、前面カバー２１、開閉扉２２の吸気スリット２６から冷風を取り込んで各ユニット内に通過させるようになっている。そして、各ユニット内を通過した空気は、背面カバー２４の排気スリット２７から外部に排出されるようになっている。
【００２３】
（第１リアクトルユニットの構造）
図５に示すように、第１リアクトルユニット３２は、トレイ形状のケース３２ｄの前面側にファンユニット４３が装着され、ケース３２ｄ上に、交流リアクトル３２ａ１，３２ａ２，３２ａ３，及び直流リアクトル３２ｂ、３２ｃが設置されている。ここで、交流リアクトル３２ａ１，３２ａ２，３２ａ３は、図３で示した交流入力用リアクトル３２ａを具体的に示し、三相四線式商用電源の三相（Ａ，Ｂ，Ｃ）の入力端子にそれぞれ接続するものである。
【００２４】
図６に示すように、ケース３２ｄのファンユニット４３に近接する位置には、上下方向に貫通する複数の配線通過穴６６〜６９が形成されている。これら配線通過穴６６〜６９に、交流リアクトル３２ａ１，３２ａ２，３２ａ３，及び直流リアクトル３２ｂの出力側のリアクトル配線７０〜７３を上部から通過させることで、各リアクトル配線７０〜７３の出力端子７４がケース３２ｄの下方に突出している。
【００２５】
（第１電力変換ユニットの構造）
図８に示すように、第１電力変換ユニット３３は、上部が開口した箱形状のケース３３ｄの前面側にファンユニット４４が装着され、ケース３３ｄ内には、ＩＧＢＴ（絶縁ゲート形バイポーラトランジスタ）などのパワー半導体素子部３３ａ、パワー半導体素子部３３ａを制御するゲートドライブユニット３３ｂが配置されているとともに、パワー半導体素子部３３ａを冷却する冷却体（不図示）、電解コンデンサ（不図示）等も備えている。
【００２６】
また、図８及び図９に示すように、第１電力変換ユニット３３の上部のファンユニット４４に近接する位置には電力変換側銅バー５６〜５９が上方に突出して設けられている。ここで、ファンユニット４４を構成する前面パネル４４ａの上部には、後述する遮風板８０を固定するためのネジ穴４４ｂが形成されている。
電力変換側銅バー５６〜５９は、図７に示すように、パワー半導体素子部３３ａと電気的に接続されて碍子６０上に配置されている固定部６１と、この固定部６１に対して直角に折曲された入力端子６２とを備えており、入力端子６２には端子固定用ねじ５５が挿通するねじ穴６２ａ（図９参照）が形成されている。
【００２７】
（第１リアクトルユニット及び第１電力変換ユニットの電気的接続構造）
そして、筐体２０内に収納された第１リアクトルユニット３２及び第１電力変換ユニット３３を電気的に接続するには、図７に示すように、第１リアクトルユニット３２のケース３２ｄから下方に突出しているリアクトル配線７０〜７３の出力端子７４を、第１電力変換ユニット３３の電力変換側銅バー５６〜５９の入力端子６２に対応させる。そして、リアクトル配線７２の出力端子７４のねじ穴と電力変換側銅バー５８の入力端子６２のねじ穴６２ａとを対応し、図示しないが他のリアクトル配線７０、７１、７３の出力端子７４のねじ穴と電力変換側銅バー５６、５７、５９の入力端子６２のねじ穴６２ａもそれぞれ対応させる。そして、それらのねじ穴に挿入した端子固定用ねじ（不図示）をナット（不図示）に螺合することにより、交流リアクトル３２ａ１，３２ａ２，３２ａ３，及び直流リアクトル３２ｂのリアクトル配線７０〜７３及び電力変換側銅バー５６〜５９の入力端子６２が電気的に接続される。
【００２８】
（冷風漏れ防止構造）
ここで、図４及び図７に示すように、第１リアクトルユニット３２のユニット前面は、第１電力変換ユニット３３のユニット前面に対して背面側に位置しており、第１リアクトルユニット３２及び第１電力変換ユニット３３は奥行き方向が異なった状態で筐体２０内に収納されている。
【００２９】
そして、これら第１リアクトルユニット３２及び第１電力変換ユニット３３の前面側に存在するユニット段差部を覆いながら、第１リアクトルユニット３２及び第１電力変換ユニット３３のユニット前面に固定された状態で遮風板８０が配置されている（図２も参照）。
すなわち、遮風板８０は、図１０に示すように、ユニット段差部を覆う遮風部８０ａと、遮風部８０ａの前方から折れ曲がって第１電力変換ユニット３３の前面に当接する第１固定部８０ｂと、遮風板８０ａの後方から折れ曲がって第１リアクトルユニット３２の前面に当接する第２固定部８０ｃとで構成されている。なお、遮風部８０ａには、配線貫通用切欠き部８０ｄが形成されている。
【００３０】
第１固定部８０ｂにはネジ貫通穴８０ｂ１が形成されており、このねじ貫通穴８０ｂ１は、前述した第１電力変換ユニット３３の前面パネル４４ａの上部に形成したネジ穴４４ｂに対応する。そして、ネジ貫通穴８０ｂ１を通過させたネジ（不図示）をネジ穴４４ｂに螺合することで第１固定部８０ｂが第１電力変換ユニット３３の前面パネル４４ａに固定される。また、第２固定部８０ｃにも、ネジ貫通穴８０ｃ１が形成されており、このネジ貫通穴８０ｃ１を、第１リアクトルユニット３２の前面パネル４３ａ（図５参照）に形成したネジ穴（不図示）に対応し、ネジ貫通穴８０ｃ１を通過させたネジ（不図示）を前面パネル４３ａのネジ穴に螺合することで第２固定部８０ｃが第１リアクトルユニット３２の前面パネル４３ａに固定される。
【００３１】
また、図４に示すように、第２リアクトルユニット３４のユニット前面も、第２電力変換ユニット３５のユニット前面に対して背面側に位置しており、第２リアクトルユニット３４及び第２電力変換ユニット３５は奥行き方向が異なった状態で筐体２０内に収納されている。
そして、これら第２リアクトルユニット３４及び第２電力変換ユニット３５の前面側に存在するユニット段差部を覆いながら、第２リアクトルユニット３４及び第２電力変換ユニット３５の前面側に着脱に固定された状態で遮風板８０が配置されている（図２も参照）。
【００３２】
（本実施形態の作用効果）
次に、本実施形態の作用効果について述べる。
ファンユニット４３〜４６は、前面カバー２１、開閉扉２２の吸気スリット２６から冷風を取り込んで各ユニットの背面側に流していく。そして、各ユニットの背面側を通過した空気は、背面カバー２４の排気スリット２７から外部に排出されるようになっている。
【００３３】
ファンユニット４３により取り込まれた冷風は、第１リアクトルユニット３２内の交流リアクトル３２ａ１，３２ａ２，３２ａ３，直流リアクトル３２ｂ、３２ｃを冷却した後、背面カバー２４の排気スリット２７から外部に排出される。
ファンユニット４４により取り込まれた冷風は、第１電力変換ユニット３３内のパワー半導体素子部３３ａを冷却する冷却体、電解コンデンサを冷却した後、背面カバー２４の排気スリット２７から外部に排出される。
【００３４】
また、ファンユニット４５により取り込まれた冷風は、第２リアクトルユニット３４内の交流入力用リアクトルを冷却した後、背面カバー２４の排気スリット２７から外部に排出され、ファンユニット４６により取り込まれた冷風は、第２電力変換ユニット３５内のパワー半導体素子を冷却する冷却体、電解コンデンサを冷却した後、背面カバー２４の排気スリット２７から外部に排出される。
【００３５】
ここで、第１リアクトルユニット３２は、他のユニットと接続する配線数が多いので、ケース３２ｄ内を流れる冷風がユニット外部に漏れるのを完全に遮ることができない。特に、ファンユニット４３を配置している前面側がユニット外部と連通していると、ファンユニット４３が取り込んだ冷風が、前面側からユニット外部に流れ出てしまい、交流リアクトル３２ａ１，３２ａ２，３２ａ３，直流リアクトル３２ｂ、３２ｃに接触する冷風量が低下して冷却効率が低下するおそれがある。
【００３６】
しかし、本実施形態は、第１リアクトルユニット３２及び第１電力変換ユニット３３の前面に存在するユニット段差部を覆いながら、第１リアクトルユニット３２の前面パネル４３ａ及び第１電力変換ユニット３３の前面パネル４４ａに固定された遮風板８０が配置され、第１リアクトルユニット３２の前面側の冷風漏れ防止が行なわれている。このため、ファンユニット４３が取り込んだ冷風は、前面側からユニット外部に流れ出ず、交流リアクトル３２ａ１，３２ａ２，３２ａ３，直流リアクトル３２ｂ、３２ｃを冷却する十分な量の冷風が流れていく。したがって、第１リアクトルユニット３２の冷却効果を十分に高めることができる。
【００３７】
また、第１電力変換ユニット３３も、遮風板８０を配置したことで前面側の冷風漏れ防止が行なわれる。このため、ファンユニット４４が取り込んだ冷風は、前面側からユニット外部に流れ出ず、パワー半導体素子部３３ａを冷却する冷却体、電解コンデンサを冷却する十分な量の冷風が流れていき、電力変換ユニット３３の冷却効果を十分に高めることができる。
【００３８】
そして、第２リアクトルユニット３４及び第２電力変換ユニット３５の間にも、それらの前面に存在するユニット段差部を覆いながら、第２リアクトルユニット３４の前面パネル及び第２電力変換ユニット３５の前面パネルに固定されて遮風板８０が配置されているので、第２リアクトルユニット３４及び第２電力変換ユニット３５の冷却効果を十分に高めることができる。
【００３９】
また、遮風板８０は、第１リアクトルユニット３２及び第１電力変換ユニット３３の間に着脱自在に取付られ、第２リアクトルユニット３４及び第２電力変換ユニット３５の間にも着脱自在に取付られているので、それらユニットの保守・点検作業等も容易に行なうことができる。
また、本実施形態の装置は、ファンユニット４３〜４６が、前面カバー２１、開閉扉２２の吸気スリット２６から冷風を取り込み、背面側に流して背面カバー２４の排気スリット２７から外部に排出するようにしており、従来装置のように筐体２０の背面側に上下方向に延在する通風路を設けていないので、筐体２０の形状を小さくして小型でコンパクトな無停電電源装置を提供することができる。
【００４０】
さらに、本実施形態の装置は、従来装置のようにファンユニットが天井等に近い位置に配置されず高温排気の影響を受けないので、ファンユニットの耐久性を向上させることができる。
【図面の簡単な説明】
【００４１】
【図１】無停電電源装置を前面側及び背面側から示した斜視図である。
【図２】無停電電源装置の前面カバーを外し、前面扉を開けて筐体内部を示した図である。
【図３】無停電電源装置内の結線図である。
【図４】筐体に複数のユニットが多段に配置されている状態を示す図である。
【図５】本発明に係る第１リアクトルユニットを示す斜視図である。
【図６】第１リアクトルユニットの平面視である。
【図７】本発明に係る第１リアクトルユニット及び第２電力変換ユニットの接続状態を示す図である。
【図８】本発明に係る第１電力変換ユニットを示す斜視図である。
【図９】第１変換ユニットを正面から示した図である。
【図１０】本発明に係る遮風板の構造を示す図である。
【符号の説明】
【００４２】
２０…筐体、２１…前面カバー（前面板）、２２…開閉扉（前面板）、２３…側面カバー（背面板）、２４…背面カバー、２５…天面カバー、２６…吸気スリット（前面側通気口）、２７…排気スリット（背面側通気口）、２８…排気スリット、２９…隔壁、３０…ターミナルユニット、３１…ＭＣユニット、３２…第１リアクトルユニット（第１ユニット）、３２ａ…交流リアクトル、３２ｂ，３２ｃ…直流リアクトル、３２ａ１，３２ａ２，３２ａ３…交流リアクトル、３２ｄ…ケース、３３…第１電力変換ユニット（第２ユニット）、３３ａ…パワー半導体素子部、３３ｂ…ゲートドライブユニット、３３ｄ…ケース、３４…第２リアクトルユニット（第１ユニット）、３４ａ，３４ｂ，３４ｃ…交流リアクトル、３５…第２電力変換ユニット（第２ユニット）、３６…蓄電池、３７ａ〜３７ｆ…支持案内レール、３８ａ〜３８ｄ…電磁接触器、４１ａ〜４１ｃ…リアクトル、４３〜４６…ファンユニット（冷却ファン）、４３ａ…前面パネル、４４ａ…前面パネル、４４ｂ…ネジ穴、５６〜５９…電力変換側銅バー、６６〜６９…配線通過穴、６０…碍子、６１…固定部、６２…入力端子、６２ａ…ねじ穴、７０〜７３…リアクトル配線、７４…出力端子、８０…遮風板（冷風漏れ防止部）、８０ａ…遮風部、８０ｂ…第１固定部、８０ｂ１…ネジ貫通穴、８０ｃ１…ネジ貫通穴、８０ｃ…第２固定部、８０ｄ…配線貫通用切欠き部、ＵＰＳ１，ＵＰＳ２…無停電電源部
【図１】
2010148194.tif 000003
【図２】
2010148194.tif 000004
【図３】
2010148194.tif 000005
【図４】
2010148194.tif 000006
【図５】
2010148194.tif 000007
【図６】
2010148194.tif 000008
【図７】
2010148194.tif 000009
【図８】
2010148194.tif 000010
【図９】
2010148194.tif 000011
【図１０】
2010148194.tif 000012